(57)【要約】【課題】磁性体からなるエンコーダの積み重ねによる磁着を防止しその取扱性を向上させたエンコーダ付密封装置を提供することを目的としている。【解決手段】磁性体からなるエンコーダ１を形成したエンコーダ付密封装置Ｓの保管と供給方法であって、複数のエンコーダ付密封装置Ｓのリング状内部へ、少なくとも３本以上を平行に配置し、中央に配された串棒４ａを通るとともに外側へ配された何れかの串棒４ｂまたは４ｃに通されて互い違いに仮固定され積重ねられる。これをそのままあるいはガイド５で束ねて供給する。これにより積み重ね時に磁気による磁着を防いで保管性とか取扱性を向上せしめる。【選択図】        図１
2004198152.tif 000002
【特許請求の範囲】
【請求項１】
リング形状を持つ複数のシール部材の組合せからなり、
一方のシール部材へ弾性体製のシール部を形成すると共に、他方のシール部材の径方向部へ磁性体からなるエンコーダを形成したエンコーダ付密封装置の保管方法において、
前記エンコーダ付密封装置のリング状内部へ通る複数の串棒をそれぞれ平行に配置し、
前記エンコーダ付密封装置はその中央に配された串棒を通るとともに該中央の串棒の外側へ配された串棒へも通されて仮固定され、
これに一方向を持って積重ねるエンコーダ付密封装置は中央の串棒に通されるとともに該中央の串棒の外側へ配された前物と異なる串棒に通して互い違いに積重ね固定されることを特徴とするエンコーダ付密封装置の保管方法。
【請求項２】
リング形状を持つ複数のシール部材の組合せからなり、
一方のシール部材へ弾性体製のシール部を形成すると共に、他方のシール部材の径方向部へ磁性体からなるエンコーダを形成したエンコーダ付密封装置の供給方法において、
それぞれ平行に配された複数の串棒へ一方向を持って互い違いに積重ね固定されたエンコーダ付密封装置のそれぞれを漏斗形状を有するガイドへ押出し供給し、
前記ガイドで束ね一本化せしめて供給することを特徴とするエンコーダ付密封装置の供給方法。
【発明の詳細な説明】
【０００１】
【発明の属する技術分野】
本発明は、磁性体からなるエンコーダを組み込んだ密封装置の改良に関し、具体的には積み重ねによる互いの磁着を防止し装着性と取扱性を向上せしめるエンコーダ付密封装置の保管と供給方法の改良に関する。
【０００２】
【従来の技術】
【特許文献１】特開２００１−１４１０６９
【特許文献２】特許第３０４７６０９号
ここで云うエンコーダ（符号器）は自動車に置けるアンチロックブレーキシステムとか、トラクションコントロールシステム、あるいはスタビリティコントロールシステムなどの走行安全装置を自在に制御するために装備されるパルス発生リングであって、これの配置箇所としては、自動車の懸架装置のハブフランジ等にセンサーと共に配備されてその車輪の回転数を検出せしめており、前後・左右など複数ある車輪の回転数の違いを感知して駆動装置あるいはブレーキ装置等をオン・オフせしめ、自動車の緊急時の挙動を制御し安定性と安全性を確保している。
【０００３】
一方、前記のような走行安全装置の装着される軸受部分では潤滑油の漏洩を防ぐシールが不可欠なものとなっており、その軸受部分の空隙に回転数検出装置とシール材とを装着した構造が多く用いられている。
昨今では、このような回転数検出装置とエンコーダとを一体的に装着したエンコーダ付密封装置が提案され実際に多く普及するに至っている。
その一般的なエンコーダ付密封装置としては、図面によって説明すると図５に示すように、合成ゴムまたは合成樹脂等の弾性材料中にフェライト、希土類などの強磁性材の粉末を混合してエンコーダ１を形成し、略Ｌ字形状の複数のシール部材２、３が組み合わされた密封装置にあって、その外部側のシール部材２の径方向側面へ前記エンコーダ１を一体的に配設して、回転検出センサ（図示していない）をこれに近接配備した構造が知られている。
【０００４】
このような構造のエンコーダ付密封装置は、密封箇所に装着される前に複数のシール部材２、３が一体化された組み上がり状態で保管管理されており、その保管状態では、取り扱い上あるいは装着機械治具に装填し易いように決まった個数毎に一方向に方向性を持たせて積み重ねられている。
前記の如く同種で同方向に整列され積み重ねられたエンコーダ付シール装置は、マガジン等に装填し多数個重ね合せた状態を保って移送あるいは保管され、最終的にはそのマガジン装填状態から軸受部などへ供給され装着作業を行なっている。
【０００５】
【発明が解決しようとする課題】
しかしながら、前記のように多数個が積み重ねられたエンコーダ付密封装置はその外側面に位置するエンコーダ１が強い磁力を発しているので、これに対峙し接触する反対側（裏側）のシール要素３の金属製芯材３１を磁着せしめるから、シール部材２、３同志が密着する引っ付き現象を生じせしめる。
このような状態に陥ったシール部材２と３は、軸受部の所定の位置へ該エンコーダ付密封装置を機械的に嵌合させる作業を行なう時、そのエンコーダ付密封装置を供給するマガジン内に引っ掛り、供給不能となるかあるいは嵌合装置が作動不能となってしまい嵌合作業効率を著しく低下させるなど重大な欠点を現わしていた。
【０００６】
このような欠点を解消するために、図４に示すようにエンコーダ付密封装置の一方へその間隔を保つようにシール部を延長して凸部３２を形成し、この凸部３２による一定の間隔を設けることで磁着性を弱める構造が考えられたが、該凸部３２が弾性体から形成されるので十分な突出寸法が得難く十分な間隔を保持できないので有効な密着防止構造と成りえていないし、重量的にも不利益を及ぼす。
本発明はこのような重大な欠点・不備を全て除去し、簡単な保管方法でシール材同志の密着現象を完全に防ぎマガジンからの装着を確実なものとすることのできるエンコーダ付密封装置の保管方法と供給方法を提供することを目的としている。
【０００７】
【課題を解決しようとする手段】
本発明を図面に基づいて説明すると、図１、図２及び図３に示すようにリング形状を持つ複数のシール部材２，３の組合せからなり、一方のシール部材２あるいは３へ合成ゴムあるいは合成樹脂等の弾性体製のシール部を形成すると共に、他方のシール部材２あるいは３の径方向部へ磁性体からなるエンコーダ１を形成したエンコーダ付密封装置Ｓの保管方法であって、前記エンコーダ付密封装置Ｓのリング状内部へ通る複数の串棒４をそれぞれ平行に配置し、前記エンコーダ付密封装置Ｓはその中央に配された串棒４ａを通るとともに、該串棒４ａの外側へ配された串棒４ｂまたは４ｃにも通されて仮固定され、これに一方向を持って積重ねるエンコーダ付密封装置Ｓは中央の串棒４ａに通されるとともに外側へ配された前物と異なる串棒４ｃまたは４ｂに通して互い違いに積重ね固定されることを特徴としている。
【０００８】
また、図２に示すように、リング形状を持つ複数のシール部材２，３の組合せからなり、一方のシール部材２あるいは３へ弾性体製のシール部を形成すると共に、他方のシール部材２あるいは３の径方向部へ磁性体からなるエンコーダ１を形成したエンコーダ付密封装置Ｓの供給方法であって、それぞれ平行に配された複数の串棒４ａ、４ｂ、及び４ｃへ一方向を持って互い違いに積重ね固定されたエンコーダ付密封装置Ｓのそれぞれを、漏斗形状を有するガイド５へ押出し供給し、前記ガイド５で束ね一本化せしめて供給することを特徴としている。
【０００９】
【発明の形態】
本発明は上記したように、磁極が回転することでその回転数を感知する磁性型のエンコーダ１とこれを感知する回転数検出センサ（図示していない）にあって、該エンコーダ１は密封装置へ一体的に取り付けられている。
このエンコーダ付密封装置Ｓは前記のように二部材のシール部材２、３の組合せたリング形状からなっており、このエンコーダ付密封装置Ｓの積み重ね時に中央に配された串棒４ａを含む少なくとも二本の平行に配された串棒４ｂあるいは４ｃをリング状内部へ通して位置固定を図り、隣接する別のエンコーダ付密封装置Ｓのリング状内部へは前記中央に配された串棒４ａを含み他の串棒４ｃあるいは４ｂを通して互い違いに積重ね固定せしめる。
この状態ではエンコーダ１の磁性体が隣接するエンコーダ付密封装置Ｓに接する部分が極めて少ない着磁面積を削減したものとなり、したがって磁着力が大幅に減じられ密着し難いものとなっている。
【００１０】
この状態を保って保管と搬送までなさしめることができ、嵌合機などのマガジンへの挿入揃えにおいては、該互い違いに積重ね固定されたエンコーダ付密封装置Ｓのそれぞれを漏斗形状を有するガイド５へ押出し供給し、前記ガイド５で束ね一本化せしめて供給することができる。
【００１１】
【実施例】
本発明を実施するに、本発明で設けた串棒４は、前記のようにエンコーダ付密封装置Ｓのリング状内部へ複数本通し、しかも中央の串棒４ａが総てのエンコーダ付密封装置Ｓに通されて互い違いに重ね合わされている。
この串棒４の配置関係は前記エンコーダ付密封装置Ｓが通り固定され易いようにそれぞれ複数本がそれぞれ平行に配され、図１及び図２に示すような各々のエンコーダ付密封装置Ｓを固定するもっとも単純な形状となる３本構造が簡素で安価なものとなるが、図３で示すようにな前記エンコーダ付密封装置Ｓを放射状に束ねる多数本からなった串棒４構造も採用可能である。他に、横方向に４連あるいは５連と連なる他連構造（図示していない）も実施可能である。
【００１２】
次に、複数の串棒４ａ、４ｂ、及び４ｃへ一方向を持って互い違いに積重ね固定されたエンコーダ付密封装置Ｓを軸受へ嵌合するための嵌合機へ供給する方法においては、互い違いに積重られたエンコーダ付密封装置Ｓをそのまま押出して平面的に取り出し供給することも可能であるが、図２に示すように前記エンコーダ付密封装置Ｓのそれぞれを、エンコーダ付密封装置Ｓが平面的なリング形状を保って通ることが可能な細く形成された先筒部を持つ漏斗形状のガイド５へ押出し供給し、前記ガイド５で軸方向に束ね一本化せしめて供給せしめると嵌合機のマガジン（その配置関係は図示していない。）へ整然と供給することができるものとなる。
【００１３】
【発明の効果】
本発明によると、複数のエンコーダ付密封装置Ｓのリング状内部へ片方が異なる串棒４を複数本通して互い違いに揃えて積み重ねたことで接触面積を大幅に減じせしめ、磁気を有するエンコーダ１の磁力を金属製芯材３１から切り離して磁着しようとすることを許さず、組となったエンコーダ付密封装置Ｓを何の問題もなく取り出しあるいは引き離して取り扱うことができ、該エンコーダ付密封装置Ｓの束ねにおいてもガイド５によって極めて容易に積重ねることができるので軸受への機械的な装着の作業性が飛躍的に高まるものとなる。
従って、嵌合機などのマガジンからのスムースな滑り出しが可能となり、引っ掛かりとか固着等の供給トラブルを完全に解消するものとなる。
【図面の簡単な説明】
【図１】本発明の積み重ね例を示す斜視図である。
【図２】本発明の他の積み重ね例を示す斜視図である。
【図３】本発明の他の実施例を示す平面図である。
【図４】本発明を用いないエンコーダ付密封装置の装着例を示す断面図である。
【図５】エンコーダ付密封装置の装着例を示す断面図である。
【符号の説明】
１    エンコーダ
２    内部周のシール部材
３    外部周のシール部材
３１  金属製芯材
３２  凸部
４    串棒
４ａ  中央の串棒
４ｂ  中央以外の串棒
４ｃ  中央以外の串棒
５    ガイド
Ｓ    エンコーダ付密封装置
【図１】
2004198152.tif 000003
【図２】
2004198152.tif 000004
【図３】
2004198152.tif 000005
【図４】
2004198152.tif 000006
【図５】
2004198152.tif 000007